【手続補正書】
【提出日】平成15年8月1日(2003.8.1)
【手続補正１】
【補正対象書類名】明細書
【補正対象項目名】全文
【補正方法】変更
【補正の内容】
【発明の名称】紙葉類集積装置
【特許請求の範囲】
【請求項１】紙葉類を下方の集積空間部に集積する紙葉類集積装置であって、
前記集積空間部に積重ねて集積された紙葉類の上面を下向きの集積方向に加圧する加圧手段を設け、この加圧手段を水平方向に移動させて加圧位置または退避位置に移動させることを特徴とする紙葉類集積装置。
【請求項２】紙葉類を下方の集積空間部に集積する紙葉類集積装置であって、
集積された紙葉類を集積方向に加圧する第１の加圧手段と、
前記第１の加圧手段の上に集積する紙葉類を搬送する搬送手段と、
搬送された前記紙葉類を集積方向に加圧する第２の加圧手段と、
前記第２の加圧手段の加圧状態に連動して、集積された前記紙葉類と搬送された前記紙葉類との間から前記第１の加圧手段を抜き取る抜き取り制御手段と、
前記第1の加圧手段の抜き取り後、前記第1の加圧手段により、搬送された前記紙葉類を集積方向に加圧する第1加圧制御手段と、
搬送された前記紙葉類を前記第1の加圧手段で加圧した後、前記第２の加圧手段による加圧を解除し、前記第1の加圧手段と前記第２の加圧手段との間に紙葉類を搬送できるように空間を形成する第２加圧制御手段を備えたことを特徴とする紙葉類集積装置。
【発明の詳細な説明】
【０００１】
【発明の属する技術分野】
この発明は、例えば金融機関に設置されるＡＴＭ（自動預金支払機）や両替機などの取引装置に内蔵されるような紙葉類集積装置に関し、さらに詳しくは紙葉類の集積処理性能を高めた紙葉類集積装置に関する。
【０００２】
【従来の技術】
以下、紙葉類集積装置の一例に紙幣の多数枚を積重ねて集積する縦型のカートリッジについて説明する。この縦型のカートリッジは、図９に示すように、長方体状を有して縦長に設置されたカートリッジ９１の内部空間に紙幣９２を１枚ずつ積重ねて集積する縦長の集積空間部９３を有し、この集積空間部９３に対するカートリッジ９１の上部には紙幣９２を１枚ずつ取込む取込み機構９４を有して、これより紙幣９２を下方の集積空間部９３へと取込み、取込まれた紙幣９２は落下過程で側壁９５にガイドされながら、また集積済の紙幣と当りながら１枚ずつ集積される。
【０００３】
【発明が解決しようとする課題】
しかし、このようにして取込まれた紙幣は、次のような問題を有していた。
【０００４】
（１）集積空間部に紙幣が落下する時に自由に動くため集積状態が乱れやすく、同じ大きさのカートリッジであっても収納容量が異なり、カートリッジの収納限度枚数にバラツキが生じていた。
【０００５】
（２）集積空間部では集積状態が乱れて紙幣が不安定に集積されるため、集積空間部における残留紙幣の有無を正確に検出し難くなっていた。
【０００６】
（３）カートリッジから紙幣を取出す際に、集積空間部に乱雑に集積された紙幣を係員が取扱い易い整列集積状態に揃える必要が生じていた。
【０００７】
（４）集積空間部に集積された多数枚の紙幣は圧縮されないまま嵩張った状態に集積されて集積効率が悪くなっていた。
【０００８】
そこでこの発明は、紙葉類の集積に際して、紙葉類を圧縮して集積する圧縮集積機能を集積空間部に持たせることに着目し、この圧縮集積機能を終始働かせることにより、集積空間が広くとれ、また整列集積を促進して集積効率を高めた紙葉類集積装置の提供を目的とする。
【０００９】
【課題を解決するための手段】
この発明は、紙葉類を下方の集積空間部に集積する紙葉類集積装置の利用に際して、前記集積空間部に積重ねて集積された紙葉類の上面を下向きの集積方向に加圧する加圧手段を設け、この加圧手段を水平方向に移動させて加圧位置または退避位置に移動させることを特徴とする。
【００１０】
この結果、集積空間部では集積された紙葉類の上面を加圧手段が下向きに加圧して紙葉類を集積方向に圧縮し、その圧縮した上方空間を集積スペースに広く取ることができる。また、この加圧手段を水平方向に任意に移動させれば、この加圧手段を加圧位置と退避位置とに自由に移動させることができるため、加圧手段の存在が邪魔にならずに圧縮動作および集積動作を施すことができる。ことに、集積空間部では紙葉類を圧縮して嵩張らずに集積できるため、この集積空間部の集積効率を高めることができる。
【００１１】
また別の発明では、紙葉類を下方の集積空間部に集積する紙葉類集積装置の利用に際して、集積された紙葉類を集積方向に加圧する第１の加圧手段と、前記第１の加圧手段の上に集積する紙葉類を搬送する搬送手段と、搬送された前記紙葉類を集積方向に加圧する第２の加圧手段と、前記第２の加圧手段の加圧状態に連動して、集積された前記紙葉類と搬送された前記紙葉類との間から前記第１の加圧手段を抜き取る抜き取り制御手段と、前記第1の加圧手段の抜き取り後、前記第1の加圧手段により、搬送された前記紙葉類を集積方向に加圧する第1加圧制御手段と、搬送された前記紙葉類を前記第1の加圧手段で加圧した後、前記第２の加圧手段による加圧を解除し、前記第1の加圧手段と前記第２の加圧手段との間に紙葉類を搬送できるように空間を形成する第２加圧制御手段を備えたことを特徴とする。
【００１２】
この場合には、互いに独立した第１の加圧手段と第２の加圧手段とを交互に切換えて、集積された紙葉類を圧縮しながら集積動作を継続することができる。
このため、限られた集積空間部を最大限有効使用して集積することができる。
【００１３】
したがって、集積空間部では圧縮動作を継続しながら集積動作を繰返して常に圧縮した状態に集積管理できるため集積空間部では落下過程で先に集積した集積済紙葉類との不具合な接触影響を受けなくなり、この結果、規則正しい整列集積が得られ、また集積空間部では圧縮されて常に収納限度枚数が一定になり収納枚数のバラツキが解消される。この他にも整列集積ゆえに、集積空間部の検知性能が高まり、内部の残留紙葉類の有無を正確に検出できる。さらに、集積空間部からの紙葉類の取出しに際しても、紙葉類は整列集積された取扱いやすい状態のために係員は紙葉類を揃える作業を省略でき、取出してそのまま取扱うことができる。
【００１４】
ここで、第１の加圧手段と第２の加圧手段は、紙葉類の上面を加圧するのに適した例えば平板でもよく、また双方の加圧手段が重ならないようにコ型状や櫛歯状あるいは左右一対のレバー状など加圧動作に支障のない任意の形状を用いる。
【００１５】
また、紙葉類集積装置としては、例えばＡＴＭや両替機に内蔵される回収カートリッジや入金カートリッジなど各種のカートリッジあるいは各種のカセットに適用することができる。
【００１６】
【発明の実施の形態】
この発明の一実施の形態を以下図面に基づいて詳述する。
図面はＡＴＭに内蔵される紙幣処理装置を示し、図１に示すように、この紙幣処理装置１１は上部一側に紙幣を出入れする入出金口１２を開口し、この入出金口１２と連通する内方に紙幣の真偽判別及び金種判別を行なう識別部１３を設け、この識別部１３に導いて適正と判定した紙幣を一時保留する一時保留部１４を識別部１３の後段奥部に配設し、これに対し、識別不良と判定した紙幣を返却保留する返却保留部１５を識別部１３の後段上部に配設している。また、一時保留部１４の前段には集積ホイール１６を配設しており、ここに導かれた紙幣を１枚ずつ集積して保留させる。
【００１７】
さらに、一時保留部１４からは一時保留した紙幣を１枚ずつ繰出して下部の金種別の第１〜第４カートリッジＣ1 〜Ｃ4 及び回収カートリッジＣ5 に収納許容して搬送接続し、返却保留部１５からは元の入出金口１２に返却可能に搬送接続している。
【００１８】
これらの各要素１２〜１６，Ｃ1 〜Ｃ5 間を搬送ラインＬでループ状に接続して、入金処理、出金処理及び精査処理等の処理項目に応じた搬送処理を行う。
【００１９】
また、外部には図示しない表示器及び入力キーを配設して処理項目の入力案内、操作手順、受入れガイド情報等の各種案内情報を表示し、また入力許容している。
【００２０】
ところで、上述の回収カートリッジＣ5 は、損傷紙幣等の流通に不適な紙幣および取忘れ紙幣等を収納するものであり、図２に示すように、上部に紙幣取込み搬送路２１と取忘れ紙幣回収部２２とを有し、下部に紙幣集積部２３を有して構成している。
【００２１】
上述の紙幣取込み搬送路２１は上方の搬送ラインＬに接続対応する位置から下方に向けて配設した取込みローラＲ…と、取込みガイド板２４…とを組合せて紙幣を真下に取込む垂直な紙幣取込み搬送路２１を構成し、この搬送路２１の上部分岐位置に小容量の取忘れ紙幣回収部２２を接続して、ここに取忘れ紙幣を回収する。また、回収した取忘れ紙幣の有無は上部回収検知センサＳ1 で検知確認する。そして、紙幣取込み搬送路２１の終端部が後述する紙幣集積部２３に接続される。
【００２２】
上述の紙幣集積部２３は、紙幣を上下方向に積重ねて集積する縦長で大容量の集積空間部２３ａを有し、この集積空間部２３ａの上方より上プレート２５と、セパレータ２６と、下プレート２７とを、この順に配設して構成している。
【００２３】
先ず、上プレート２５は、平板状を有して上部中央に水平状態に保持されて昇降移動し、集積空間部２３ａの上動待機位置２５ａと下動加圧位置２５ｂとの上下間を移動して、ここに集積された紙幣の上面を加圧して圧縮状態に集積させる。
【００２４】
続いて、セパレータ２６は、水平に突出する軸状体を左右一対に設け、上プレート２５の中央加圧位置と異なる両側加圧位置を軸状体で線状に加圧するものであり、図３に示すように、左右両側で対称形に縦横に同期移動して、ここに集積された紙幣の上面を下向きに均等に加圧して圧縮集積させる。
【００２５】
このセパレータ２６の移動に際しては、基準位置Ｐ1 をカートリッジ側壁２８に沿った外側上部位置に設定し、これより内側に移動させた待機位置Ｐ2 と、さらにこれより下動して加圧する加圧位置Ｐ3 と、加圧後に横方向の外側に移動させる退避位置Ｐ4 と、これより上動して元の基準位置Ｐ1 へと戻す４点間の移動を繰返す軌跡を有している。
【００２６】
また、下プレート２７は集積される紙幣の下面全体を支える平板状を有して昇降ガイド軸２７ａに水平状態に保持されて昇降移動し、この下プレート２７を下方より上方に向けて押圧バネ２９で付勢して、上方の上プレート２５との間で、ここに集積された紙幣を上下より圧縮する。
【００２７】
このときの紙幣集積部２３での紙幣の集積動作を図４（Ａ）〜図４（Ｅ）を参照して説明する。
通常の集積待機状態では、図４（Ａ）に示すように、集積済の紙幣３０…はセパレータ２６と下プレート２７との上下の加圧構成部材によって圧縮された状態に集積されている。このとき、上プレート２５は上動待機位置２５ａに待機した状態にあり、この上プレート２５とその下方の集積紙幣の上面との間に形成される空間部を一時集積ストア部３１に設けて、図４（Ｂ）に示すように、ここに導かれた次回の紙幣を一時ストアさせる。
【００２８】
一時ストア後はセパレータ２６を加圧位置Ｐ3 から退避位置Ｐ4 に移動させた後、上プレート２５を下動させて、図４（Ｃ）に示すように、この上プレート２５と下プレート２７との上下間で加圧して一まとめに圧縮する。
【００２９】
このとき、再び一時集積ストア部３１を形成して次の回収に備えるため、セパレータ２６は退避位置Ｐ4 から基準位置Ｐ1 に移動させた後、引続き、図４（Ｄ）に示すように、待機位置Ｐ2 から加圧位置Ｐ3 に移動させて加圧動作させ、セパレータ２６による加圧完了後は、図４（Ｅ）に示すように、上プレート２５を上動退避させて再び一時集積ストア部３１を形成して次の集積に備える。
【００３０】
また、一時集積ストア部３１には残留検知センサＳ2 を備えており、ここに導かれた紙幣の有無を検知確認している。
【００３１】
上述のセパレータ２６の移動に際しては、セパレータ２６の基端部に例えば図示しないラックとピニオンを組合せた機構を用いればよく、後述するセパレータ駆動モータの駆動量に応じてセパレータ２６を垂直方向と水平方向との縦横の位置に自由に移動させることができる。
【００３２】
またこの場合、集積済紙幣の上面を加圧するセパレータ２６の上面に次に導かれた紙幣３０を上載せ状態に集積して積層状態にあるとき、このセパレータ２６を水平方向に退避移動させれば、同セパレータ２６の上面に上載せして集積された紙幣の影響を受けずに退避移動させることができる。
【００３３】
図５は回収カートリッジＣ5 の制御回路ブロック図を示し、ＣＰＵ５１はＲＯＭ５２に格納されたプログラムに沿って各回路装置を制御し、その制御データをＲＡＭ５３で読出し可能に記憶する。
【００３４】
搬送モータＭ1 は紙幣処理装置１１の搬送系に備えられ、ＣＰＵ５１からの搬送制御信号に基づいて駆動制御または停止制御され、搬送ラインＬ上に１枚ずつ挟持搬送される紙幣を処理すべき方向に搬送または停止するものであり、この搬送ラインＬ1 に連動して回収カートリッジＣ5 の紙幣取込み搬送路２１が駆動または停止動作される。
【００３５】
上プレート駆動モータＭ2 は回収カートリッジＣ5 に内蔵され、上プレート２５を上動待機位置２５ａと下動加圧位置２５ｂとの上下間を昇降移動する。
【００３６】
セパレータ駆動モータＭ3 は、セパレータ２６を既述した縦横方向の４点間の各位置Ｐ1 〜Ｐ4 に移動させる。
【００３７】
ところで、ＣＰＵ５１は集積空間部２３ａにおいて、集積紙幣３０…の圧縮動作を継続しながら集積することにより、紙幣を嵩張らずに集積して集積効率を高めている。このため、上プレート２５とセパレータ２６との加圧動作を交互に切換える切換え機能を持たせている。この切換え機能により、交互に加圧動作を繰返して集積紙幣を常に圧縮できる。また、集積空間部２３ａでは一定空間の一時集積ストア部３１を確保できるため、紙幣の取込み過程で先に集積した集積済紙幣との不具合な接触影響が解消され、規則正しい整列集積が得られる。
【００３８】
このように構成された回収カートリッジＣ5 の紙幣の回収処理動作を図６〜図８の集積状態を表す側面図を参照して説明する。
今、回収カートリッジＣ5 に紙幣を回収したとき、ここに導かれた紙幣３０は紙幣取込み搬送路２１を介して集積空間部２３ａの上部に形成された一時集積ストア部３１に集積される。このとき、一時集積ストア部３１は、図６に示すように、集積済紙幣の上面がセパレータ２６によって下向きに圧縮された状態にあり、セパレータ２６の上面側に紙幣を集積許容する小スペースの一時集積ストア部３１が形成され、ここに１枚ずつ集積される。
【００３９】
集積後は、セパレータ２６を横方向に退避させると同時に、図７に示すように、上プレート２５を下動させて、集積空間部２３ａに集積されている全紙幣を上方より一括して圧縮する。
【００４０】
続いて、セパレータ２６を退避位置Ｐ4 から→基準位置Ｐ1 →待機位置Ｐ2 を介して加圧位置Ｐ3 に導いて集積された紙幣の上面を加圧する。
【００４１】
加圧後は、図８に示すように、セパレータ２６による加圧に切換える如く略同時に上プレート２５を上動待機位置２５ａに上動させて待機させることにより、セパレータ２６の上面には再び一時集積ストア部３１を形成して、次のリジェクト紙幣の受入れに備える。
【００４２】
その後は、セパレータ２６の加圧動作と上プレート２５加圧動作を繰返して集積空間部２３ａに集積された紙幣を常に圧縮した状態に集積管理する。このため、集積効率の高い回収動作が安定して得られる。
【００４３】
上述のように、互いに独立した上プレートとセパレータとの圧縮動作を交互に切換えて、集積された紙幣を圧縮しながら集積動作を継続できるため、限られた集積空間部を最大限有効使用して集積することができる。また、集積空間部では圧縮動作を継続しながら集積動作を繰返して常に圧縮した状態に集積管理できるため集積空間部への取込み過程で先に集積した集積済紙幣との不具合な接触影響を受けなくなり、規則正しい整列集積が得られる。また、集積空間部では圧縮されて常に収納限度枚数が一定になり、収納枚数のバラツキも解消される。この他にも整列集積ゆえに、集積空間部の残留検知センサによる検知性能が高まり、内部の残留紙幣の有無を正確に検出できる。
【００４４】
さらに、係員が回収カートリッジを取外して集積空間部から紙幣を取出す際も、紙幣は整列集積された取扱いやすい状態のために係員は紙幣を揃える作業を省略でき、取出してそのまま扱うことができる。
【００４５】
また、このような回収カートリッジＣ5 を内蔵して構成した取引装置を使用した場合は、集積容量を増大でき、しかも集積空間部には紙幣を整列集積して紙幣の集積不良を回避できるため、高集積性能を持たせた運用が図れる。
【００４６】
この発明と、上述の一実施の形態の構成との対応において、
この発明の紙葉類集積装置は、実施の形態の回収カートリッジＣ5 に対応し、
以下同様に、
紙葉類は、紙幣３０に対応し、
加圧手段および第２の加圧手段は、セパレータ２６に対応し、
第１の加圧手段は、上プレート２５に対応し、
抜き取り制御手段、第1加圧制御手段、第２加圧制御手段は、ＣＰＵ５１に対応するも、
この発明は、請求項に示される技術思想に基づいて応用することができ、上述の一実施の形態の構成のみに限定されるものではない。
【００４７】
【発明の効果】
この発明によれば、集積空間部に集積された紙葉類の上面を加圧手段が下向きに加圧して紙葉類を集積方向に圧縮し、その圧縮した上方空間に集積スペースを広く取ることができる。
【図面の簡単な説明】
【図１】この発明の紙幣処理装置の収納系路を示す内部構成図。
【図２】この発明の回収カートリッジの内部構成図。
【図３】この発明の紙幣集積部の圧縮構造を示す要部正面図。
【図４】この発明の紙幣集積部の紙幣圧縮動作状態を示す説明図。
【図５】この発明の回収カートリッジの制御回路ブロック図。
【図６】この発明の回収カートリッジの一時ストア状態を示す概略側面図。
【図７】この発明の回収カートリッジの一括集積時の圧縮切換え状態を示す概略側面図。
【図８】この発明の回収カートリッジの集積待機状態を示す概略側面図。
【図９】従来のカートリッジの不具合な集積状態を示す概略側面図。
【符号の説明】
Ｃ5 …回収カートリッジ
２３ａ…集積空間部
２５…上プレート
２５ａ…上動待機位置
２５ｂ…下動加圧位置
２６…セパレータ
２７…下プレート
Ｐ1 …基準位置
Ｐ2 …待機位置
Ｐ3 …加圧位置
Ｐ4 …退避位置
３０…紙幣
３１…一時集積ストア部
５１…ＣＰＵ